(57)【要約】【課題】  標準電波の受信動作の時間を可及的に短くし、電力の消費をより抑えた時刻情報受信装置を実現する。【解決手段】  受信した標準電波に含まれているタイムコードのデータの一部に欠落があると検知された場合（Ａ１１〜Ａ１５）、例えば、予め取得済みのタイムコードのうち、前記欠落箇所以外の他のデータに基づいて当該欠落箇所のデータを補完し（Ａ２７，Ａ２９，Ａ３７）、この補完されたデータを含むタイムコードに基づいて内部の時刻を修正する（Ａ３９）。【選択図】図２
2006105621.tif 000002
【特許請求の範囲】
【請求項１】
時刻を計時する時刻計時手段と、
標準電波を受信する受信手段と、
この受信手段に標準電波を受信させてタイムコードを取得する受信制御手段と、
この受信制御手段の制御により取得されたタイムコードに含まれる時分データの欠落を検知する検知手段と、
この検知手段により欠落が検知された場合に、前記受信制御手段の制御により予め取得されているタイムコードと欠落が検知されたタイムコードとに基づいて、当該欠落部分を補完する補完制御手段と、
この補完制御手段の制御により補完されたタイムコードに基づいて、前記時刻計時手段により計時されている時刻を修正する補完コード基準修正手段と、
を備えることを特徴とする時刻情報受信装置。
【請求項２】
曜日を含む時刻を計時する時刻計時手段と、
標準電波を受信する受信手段と、
この受信手段に標準電波を受信させてタイムコードを取得する受信制御手段と、
この受信制御手段の制御により取得されたタイムコードに含まれる曜日データの欠落を検知する検知手段と、
この検知手段により曜日データの欠落が検知された場合に、前記受信制御手段の制御により取得されたタイムコードの年データ及び通算日データに基づいて、当該欠落の曜日データを補完する補完制御手段と、
この補完制御手段の制御により補完されたタイムコードに基づいて、前記時刻計時手段により計時されている時刻を修正する補完コード基準修正手段と、
を備えることを特徴とする時刻情報受信装置。
【請求項３】
時刻を計時する時刻計時手段と、
標準電波を受信する受信手段と、
この受信手段に標準電波を受信させてタイムコードを取得する受信制御手段と、
この受信制御手段の制御により取得されたタイムコードのうち、標準電波の規格による所定の時間間隔で挿入されている識別データの一部欠落を検知する検知手段と、
この検知手段により欠落が検知された場合に、前記受信制御手段の制御により取得されたタイムコードに含まれている識別データ及び前記時間間隔に基づいて、前記欠落している識別データを補完する補完制御手段と、
この補完制御手段の制御により補完されたタイムコードで前記時刻計時手段により計時されている時刻を修正する補完コード基準修正手段と、
を備えることを特徴とする時刻情報受信装置。
【請求項４】
時刻を計時する時刻計時手段と、
標準電波を受信する受信手段と、
この受信手段に標準電波を受信させてタイムコードを取得する受信制御手段と、
この受信制御手段の制御により取得されたタイムコードに含まれている標準電波の規格による所定の時間間隔で挿入されている識別データのうち、当該タイムコードの先頭部分を表す先頭データに隣接する識別データの欠落を検知する検知手段と、
この検知手段により欠落が検知された場合に、前記受信制御手段の制御により取得されたタイムコードに含まれている前記先頭データに基づいて、当該先頭データの隣接位置に識別データを補完する補完制御手段と、
この補完制御手段の制御により補完されたタイムコードで前記時刻計時手段により計時されている時刻を修正する補完コード基準修正手段と、
を備えることを特徴とする時刻情報受信装置。
【請求項５】
時刻を計時する時刻計時手段と、
標準電波を受信する受信手段と、
前記時刻計時手段により計時されている時刻のデータの中から修正対象箇所を決定する対象箇所決定手段と、
この対象箇所決定手段により決定された修正対象箇所に対応するタイムコードの部分を判定し、この判定した部分的なタイムコードを受信するための受信時刻を、前記時刻計時手段により計時されている時刻及び計時誤差に基づいて、決定する受信時刻決定手段と、
この受信時刻決定手段により決定された受信時刻に前記受信手段に標準電波を受信させて、前記判定した部分的なタイムコードを取得する受信制御手段と、
この受信制御手段の制御により取得された部分的なタイムコードに基づいて、前記対象箇所決定手段により決定された修正対象箇所を修正することで前記時刻計時手段により計時されている時刻を修正する時刻修正手段と、
を備えることを特徴とする時刻情報受信装置。
【請求項６】
時分秒を含む時刻を計時する時刻計時手段と、
タイムコードを含む標準電波を受信しタイムコードを取得する受信制御手段と、
この受信制御手段の制御により取得されたタイムコードに含まれる時刻データの欠落を検出する欠落検出手段と、
この欠落検出手段により時刻データの欠落が検出された際に、前記受信制御手段の制御により予め取得されているタイムコードのうち、前記欠落されている時刻データに対応するタイムコードの部分で前記欠落されている時刻データに対応するタイムコードの部分を補完するように制御する補完制御手段と、
この補完制御手段の制御により補完されたタイムコードの部分を含むタイムコードに基づいて、前記時刻計時手段により計時されている時刻を修正する時刻修正手段と、
を備えることを特徴とする時刻情報受信装置。
【請求項７】
曜日を含む時刻を計時する時刻計時手段と、
タイムコードを含む標準電波を受信しタイムコードを取得する受信制御手段と、
この受信制御手段の制御により取得されたタイムコードに含まれる曜日データの欠落を検出する欠落検出手段と、
この欠落検出手段により曜日データの欠落が検出された際に、前記受信制御手段の制御により予め取得されているタイムコードの年データと通算日データとに基づいて、前記受信制御手段の制御により取得されたタイムコードのうち、当該欠落曜日データに対応するタイムコードを補完する補完制御手段と、
この補完制御手段により補完されたタイムコードの部分を含むタイムコードに基づいて、前記時刻計時手段により計時されている時刻を修正する時刻修正手段と、
を備えることを特徴とする時刻情報受信装置。
【請求項８】
時分秒を含む時刻を計時する時刻計時手段と、
タイムコードを含む標準電波を受信しタイムコードを取得する受信制御手段と、
この受信制御手段の制御により取得されたタイムコードのうち、標準電波の規格に従って規定されている識別データの一部が欠落しているかを検出する欠落検出手段と、
この欠落検出手段により識別データの一部の欠落が検出された際に、当該欠落検出手段により欠落されていないと検出された他の識別データに基づいて、前記欠落している欠落識別データを補完するように制御する補完制御手段と、
この補完制御手段の制御により補完された欠落識別データに対応するタイムコードの部分を含むタイムコードタイムコードに基づいて、前記時刻計時手段により計時されている時刻を修正する時刻修正手段と、
を備えることを特徴とする時刻情報受信装置。
【請求項９】
時分秒を含む時刻を計時する時刻計時手段と、
タイムコードを含む標準電波を受信しタイムコードを取得する受信制御手段と、
この受信制御手段の制御により取得されたタイムコードのうち、標準電波の規格に従って規定されている識別データのうち、当該タイムコードの先頭部分を表す先頭データに隣接する識別データの欠落を検出する欠落検出手段と、
この欠落検出手段により識別データの欠落が検出された際に、前記受信制御手段の制御により予め取得されているタイムコードに含まれている前記先頭データに対応するタイムコードの部分に基づいて、当該先頭データの隣接位置に前記欠落している欠落識別データを補完するように制御する補完制御手段と、
この補完制御手段により補完された欠落識別データに対応するタイムコードの部分を含むタイムコードタイムコードに基づいて、前記時刻計時手段により計時されている時刻を修正する時刻修正手段と、
を備えることを特徴とする時刻情報受信装置。
【請求項１０】
時分秒を含む時刻を計時する時刻計時手段と、
タイムコードを含む標準電波を受信する受信手段と、
この時刻計時手段により計時されている時刻のデータの中から修正対象箇所を順次に決定する対象箇所決定手段と、
この対象箇所決定手段により決定された各修正対象箇所に対応するタイムコードの部分をそれぞれ判定し、この判定したそれぞれの部分的なタイムコードを受信するための異なる受信時刻を、前記時刻計時手段により計時されている時刻と予め定められた計時誤差に基づいて決定する受信時刻決定手段と、
この受信時刻決定手段により決定されたそれぞれの受信時刻に前記受信手段に標準電波を受信させて、前記判定したそれぞれの部分的なタイムコードを取得する受信制御手段と、
この受信制御手段により取得された部分的なタイムコードに基づいて、前記対象箇所決定手段により決定された各修正対象箇所を修正することで前記時刻計時手段により計時されている時刻を修正する時刻修正手段と、
を備えることを特徴とする時刻情報受信装置。
【発明の詳細な説明】
【技術分野】
【０００１】
本発明は、時刻情報受信装置に関し、例えば、電波時計に適用して好適なものである。
【背景技術】
【０００２】
現在、各国（例えば、ドイツ、イギリス、スイス、日本等）において、タイムコード入りの標準電波が送出されている。我が国（日本）では、２つの送信所（福島県及び佐賀県）より、タイムコードのフォーマットのタイムコードで振幅変調した４０ｋＨｚ及び６０ｋＨｚの長波標準電波が送出されている。
【０００３】
タイムコードは、正確な時刻の分の桁が更新される毎、即ち１分毎に、１周期６０秒のフレームで送出されている。この６０秒（１分間）のフレームの開始時点である正分（毎分０秒）の立ち上がりには、パルス幅０．２秒の先頭マーカＭであるＭ信号が配され、９秒時点以降の１０秒間隔、即ち９秒、１９秒、２９秒、３９秒、４９秒及び５９秒の各時点には、パルス幅０．２秒のＰ信号Ｐ１、Ｐ２、Ｐ３、Ｐ４、Ｐ５及びＰ０がそれぞれ配されている。Ｐ信号フレームの前後においては、Ｐ信号Ｐ０に続けてＭ信号Ｍが現れる、即ち、パルス幅０．２秒のパルスが１秒の間隔をおいて連続して２個現れる。このことにより、フレームの境界が認識され、Ｍ信号Ｍで示されるパルスの立ち上がり時点が現在時刻の分の桁の正確な更新時となる。
【０００４】
そして、上記フレーム内には、当該フレーム開始時点（Ｍ）の時刻の分、時、積算日（１月１日からの日数）、年（西暦下２桁）及び曜日（日曜日を０として数える０〜６の整数値）の各データが、それぞれ１秒〜８秒期間、１２秒〜１８秒期間、２２秒〜３３秒期間、４１秒〜４８秒期間及び５０秒〜５２秒期間にＢＣＤ（binary-coded decimal number ：２進化１０進数）で符号化されて配されている。また、ロジック１及び０はそれぞれパルス幅が０．５秒及び０．８秒のパルスで表されている。
【０００５】
近年では、このようなタイムコードフォーマットでなる標準電波を受信して現在時刻データを修正する時刻情報受信装置の一種である電波時計が実用化されており、標準電波の受信に関する種々の技術が開発されている（例えば特許文献１）。
【特許文献１】特開平５−１４２３６３号公報
【発明の開示】
【発明が解決しようとする課題】
【０００６】
一般的な電波時計は、深夜２時などの定時に標準電波を受信して、現在時刻の修正（以下、単に時刻修正と呼ぶ。）を行う。但し、受信回路の受信動作が安定するまでに一定の時間を要する為、例えばタイムコードを３回連続して、即ち、３分以上継続して受信するといったことが行われている。そしてこのような長時間の受信動作の間、受信回路に電力を供給し続けることとなり、比較的大きな電力を消費する。
【０００７】
しかし、腕時計型の電波時計などにおいては、電力消費は時計としての継続動作可能時間に直接関わる問題であるため、消費電力の削減が要求されており、受信回路の動作時間をできるだけ低減して、消費電力を抑える必要がある。
【０００８】
本発明は以上の点を考慮してなされたもので、標準電波の受信動作時間を可及的に短くし、電力の消費を抑えた時刻情報受信装置を実現することを目的とする。
【課題を解決するための手段】
【０００９】
かかる課題を解決するため、請求項１に記載の発明は、
時刻を計時する時刻計時手段（例えば、図１の計時回路部８０）と、
標準電波を受信する受信手段（例えば、図１の受信制御部６０）と、
この受信手段に標準電波を受信させてタイムコードを取得する受信制御手段（例えば、図１のＣＰＵ１０：図２のステップＡ１１，Ａ１３）と、
この受信制御手段の制御により取得されたタイムコードに含まれる時分データの欠落を検知する検知手段（例えば、図１のＣＰＵ１０：図２のステップＡ１５，Ａ１９）と、
この検知手段により欠落が検知された場合に、前記受信制御手段の制御により予め取得されているタイムコードと欠落が検知されたタイムコードとに基づいて、当該欠落部分を補完する補完制御手段（例えば、図１のＣＰＵ１０：図２のステップＡ１９，Ａ３１，Ａ３３，Ａ３５，Ａ３７）と、
この補完制御手段の制御により補完されたタイムコードに基づいて、前記時刻計時手段により計時されている時刻を修正する補完コード基準修正手段（例えば、図１のＣＰＵ１０：図２のステップＡ３９）と、
を備える時刻情報受信装置（例えば、図１の電波時計１）である。
【００１０】
また、請求項２に記載の発明は、
曜日を含む時刻を計時する時刻計時手段（例えば、図１の計時回路部８０）と、
標準電波を受信する受信手段（例えば、図１の受信制御部６０）と、
この受信手段に標準電波を受信させてタイムコードを取得する受信制御手段（例えば、図１のＣＰＵ１０：図２のステップＡ１１，Ａ１３）と、
この受信制御手段の制御により取得されたタイムコードに含まれる曜日データの欠落を検知する検知手段（例えば、図１のＣＰＵ１０：図２のステップＡ１５，Ａ２１）と、
この検知手段により曜日データの欠落が検知された場合に、前記受信制御手段の制御により取得されたタイムコードの年データ及び通算日データに基づいて、当該欠落の曜日データを補完する補完制御手段（例えば、図１のＣＰＵ１０：図２のステップＡ２１，Ａ２７）と、
この補完制御手段の制御により補完されたタイムコードに基づいて、前記時刻計時手段により計時されている時刻を修正する補完コード基準修正手段（例えば、図１のＣＰＵ１０：図２のステップＡ３９）と、
を備える時刻情報受信装置（例えば、図１の電波時計１）である。
【００１１】
また、請求項３に記載の発明は、
時刻を計時する時刻計時手段（例えば、図１の計時回路部８０）と、
標準電波を受信する受信手段（例えば、図１の受信制御部６０）と、
この受信手段に標準電波を受信させてタイムコードを取得する受信制御手段（例えば、図１のＣＰＵ１０：図２のステップＡ１１，Ａ１３）と、
この受信制御手段の制御により取得されたタイムコードのうち、標準電波の規格による所定の時間間隔で挿入されている識別データの一部欠落を検知する検知手段（例えば、図１のＣＰＵ１０：図２のステップＡ１５，Ａ１７）と、
この検知手段により欠落が検知された場合に、前記受信制御手段の制御により取得されたタイムコードに含まれている識別データ及び前記時間間隔に基づいて、前記欠落している識別データを補完する補完制御手段（例えば、図１のＣＰＵ１０：図２のステップＡ２９）と、
この補完制御手段の制御により補完されたタイムコードで前記時刻計時手段により計時されている時刻を修正する補完コード基準修正手段（例えば、図１のＣＰＵ１０：図２のステップＡ３９）と、
を備える時刻情報受信装置（例えば、図１の電波時計１）である。
【００１２】
また、請求項４に記載の発明は、
時刻を計時する時刻計時手段（例えば、図１の計時回路部８０）と、
標準電波を受信する受信手段（例えば、図１の受信制御部６０）と、
この受信手段に標準電波を受信させてタイムコードを取得する受信制御手段（例えば、図１のＣＰＵ１０：図２のステップＡ１１，Ａ１３）と、
この受信制御手段の制御により取得されたタイムコードに含まれている標準電波の規格による所定の時間間隔で挿入されている識別データのうち、当該タイムコードの先頭部分を表す先頭データに隣接する識別データの欠落を検知する検知手段（例えば、図１のＣＰＵ１０：図２のステップＡ１５，Ａ１７）と、
この検知手段により欠落が検知された場合に、前記受信制御手段の制御により取得されたタイムコードに含まれている前記先頭データに基づいて、当該先頭データの隣接位置に識別データを補完する補完制御手段と、
この補完制御手段の制御により補完されたタイムコードで前記時刻計時手段により計時されている時刻を修正する補完コード基準修正手段（例えば、図１のＣＰＵ１０：図２のステップＡ３９）と、
を備える時刻情報受信装置（例えば、図１の電波時計１）である。
【００１３】
また、請求項５に記載の発明は、
時刻を計時する時刻計時手段（例えば、図３の計時回路部８０）と、
標準電波を受信する受信手段（例えば、図３の受信制御部６０）と、
前記時刻計時手段により計時されている時刻のデータ（例えば、図４の現在時刻データ８１）の中から修正対象箇所を決定する対象箇所決定手段（例えば、図５の取得位置特定表４３，図３のＣＰＵ１０：図６のステップＢ１３）と、
この対象箇所決定手段により決定された修正対象箇所に対応するタイムコードの部分を判定し、この判定した部分的なタイムコードを受信するための受信時刻を、前記時刻計時手段により計時されている時刻及び計時誤差に基づいて、決定する受信時刻決定手段（例えば、図３のＣＰＵ１０：図６のステップＢ１５，Ｂ１７）と、
この受信時刻決定手段により決定された受信時刻に前記受信手段に標準電波を受信させて、前記判定した部分的なタイムコードを取得する受信制御手段（例えば、図３のＣＰＵ１０：図６のステップＢ１７，Ｂ１９，Ｂ２１，Ｂ２３，Ｂ２５，Ｂ２７）と、
この受信制御手段の制御により取得された部分的なタイムコードに基づいて、前記対象箇所決定手段により決定された修正対象箇所を修正することで前記時刻計時手段により計時されている時刻を修正する時刻修正手段（例えば、図３のＣＰＵ１０：図６のステップＢ２９，Ｂ３１）と、
を備える時刻情報受信装置（例えば、図３の電波時計２）である。
【００１４】
また、請求項６に記載の発明は、
時分秒を含む時刻を計時する時刻計時手段（例えば、図１の計時回路部８０）と、
タイムコードを含む標準電波を受信しタイムコードを取得する受信制御手段（例えば、図１のＣＰＵ１０：図２のステップＡ１１，Ａ１３）と、
この受信制御手段の制御により取得されたタイムコードに含まれる時刻データの欠落を検出する欠落検出手段（例えば、図１のＣＰＵ１０：図２のステップＡ１５，Ａ１９）と、
この欠落検出手段により時刻データの欠落が検出された際に、前記受信制御手段の制御により予め取得されているタイムコードのうち、前記欠落されている時刻データに対応するタイムコードの部分で前記欠落されている時刻データに対応するタイムコードの部分を補完するように制御する補完制御手段（例えば、図１のＣＰＵ１０：図２のステップＡ１９，Ａ３１，Ａ３３，Ａ３５，Ａ３７）と、
この補完制御手段の制御により補完されたタイムコードの部分を含むタイムコードに基づいて、前記時刻計時手段により計時されている時刻を修正する時刻修正手段（例えば、図１のＣＰＵ１０：図２のステップＡ３９）と、
を備えることを特徴とする時刻情報受信装置（例えば、図１の電波時計１）である。
【００１５】
また、請求項７に記載の発明は、
曜日を含む時刻を計時する時刻計時手段（例えば、図１の計時回路部８０）と、
タイムコードを含む標準電波を受信しタイムコードを取得する受信制御手段（例えば、図１のＣＰＵ１０：図２のステップＡ１１，Ａ１３）と、
この受信制御手段の制御により取得されたタイムコードに含まれる曜日データの欠落を検出する欠落検出手段（例えば、図１のＣＰＵ１０：図２のステップＡ１５，Ａ１９）と、
この欠落検出手段により曜日データの欠落が検出された際に、前記受信制御手段の制御により予め取得されているタイムコードの年データと通算日データとに基づいて、前記受信制御手段の制御により取得されたタイムコードのうち、当該欠落曜日データに対応するタイムコードを補完する補完制御手段（例えば、図１のＣＰＵ１０：図２のステップＡ２１，Ａ２７）と、
この補完制御手段により補完されたタイムコードの部分を含むタイムコードに基づいて、前記時刻計時手段により計時されている時刻を修正する時刻修正手段（例えば、図１のＣＰＵ１０：図２のステップＡ３９）と、
を備えることを特徴とする時刻情報受信装置（例えば、図１の電波時計１）である。
【００１６】
また、請求項８に記載の発明は、
時分秒を含む時刻を計時する時刻計時手段（例えば、図１の計時回路部８０）と、
タイムコードを含む標準電波を受信しタイムコードを取得する受信制御手段（例えば、図１のＣＰＵ１０：図２のステップＡ１１，Ａ１３）と、
この受信制御手段の制御により取得されたタイムコードのうち、標準電波の規格に従って規定されている識別データの一部が欠落しているかを検出する欠落検出手段（例えば、図１のＣＰＵ１０：図２のステップＡ１５，Ａ１７）と、
この欠落検出手段により識別データの一部の欠落が検出された際に、当該欠落検出手段により欠落されていないと検出された他の識別データに基づいて、前記欠落している欠落識別データを補完するように制御する補完制御手段（例えば、図１のＣＰＵ１０：図２のステップＡ２９）と、
この補完制御手段の制御により補完された欠落識別データに対応するタイムコードの部分を含むタイムコードタイムコードに基づいて、前記時刻計時手段により計時されている時刻を修正する時刻修正手段（例えば、図１のＣＰＵ１０：図２のステップＡ３９）と、
を備えることを特徴とする時刻情報受信装置（例えば、図１の電波時計１）である。
【００１７】
また、請求項９に記載の発明は、
時分秒を含む時刻を計時する時刻計時手段（例えば、図１の計時回路部８０）と、
タイムコードを含む標準電波を受信しタイムコードを取得する受信制御手段（例えば、図１のＣＰＵ１０：図２のステップＡ１１，Ａ１３）と、
この受信制御手段の制御により取得されたタイムコードのうち、標準電波の規格に従って規定されている識別データのうち、当該タイムコードの先頭部分を表す先頭データに隣接する識別データの欠落を検出する欠落検出手段（例えば、図１のＣＰＵ１０：図２のステップＡ１５，Ａ１７）と、
この欠落検出手段により識別データの欠落が検出された際に、前記受信制御手段の制御により予め取得されているタイムコードに含まれている前記先頭データに対応するタイムコードの部分に基づいて、当該先頭データの隣接位置に前記欠落している欠落識別データを補完するように制御する補完制御手段と、
この補完制御手段により補完された欠落識別データに対応するタイムコードの部分を含むタイムコードタイムコードに基づいて、前記時刻計時手段により計時されている時刻を修正する時刻修正手段（例えば、図１のＣＰＵ１０：図２のステップＡ３９）と、
を備えることを特徴とする時刻情報受信装置（例えば、図１の電波時計１）である。
【００１８】
また、請求項１０に記載の発明は、
時分秒を含む時刻を計時する時刻計時手段（例えば、図３の計時回路部８０）と、
タイムコードを含む標準電波を受信する受信手段（例えば、図３の受信制御部６０）と、
この時刻計時手段により計時されている時刻のデータ（例えば、図４の現在時刻データ８１）の中から修正対象箇所を順次に決定する対象箇所決定手段（例えば、図５の取得位置特定表４３，図３のＣＰＵ１０：図６のステップＢ１３）と、
この対象箇所決定手段により決定された各修正対象箇所に対応するタイムコードの部分をそれぞれ判定し、この判定したそれぞれの部分的なタイムコードを受信するための異なる受信時刻を、前記時刻計時手段により計時されている時刻と予め定められた計時誤差に基づいて決定する受信時刻決定手段（例えば、図３のＣＰＵ１０：図６のステップＢ１５，Ｂ１７）と、
この受信時刻決定手段により決定されたそれぞれの受信時刻に前記受信手段に標準電波を受信させて、前記判定したそれぞれの部分的なタイムコードを取得する受信制御手段（例えば、図３のＣＰＵ１０：図６のステップＢ１７，Ｂ１９，Ｂ２１，Ｂ２３，Ｂ２５，Ｂ２７）と、
この受信制御手段により取得された部分的なタイムコードに基づいて、前記対象箇所決定手段により決定された各修正対象箇所を修正することで前記時刻計時手段により計時されている時刻を修正する時刻修正手段（例えば、図３のＣＰＵ１０：図６のステップＢ２９，Ｂ３１）と、
を備えることを特徴とする時刻情報受信装置。
【発明の効果】
【００１９】
請求項１に記載の発明によれば、まず、標準電波が受信されてタイムコードが取得される。そして、取得されたタイムコードに含まれる時分データに欠落が検知された場合、予め取得されているタイムコードと欠落が検知されたタイムコードとに基づいて、欠落部分が補完される。そして、この補完されたタイムコードで、時刻計時手段により計時されている時刻が修正される。
【００２０】
従って、取得されたタイムコードに含まれる時分データに欠落が検知され、時刻計時手段が計時する時刻（以下、計時時刻と呼ぶ。）の修正の為に標準電波の再受信が必要となる場合にも、再受信する回数は可及的に少なく抑えられる。従って、標準電波の受信動作の時間が可及的に短く抑えられ、電力消費のより少ない時刻情報受信装置を実現できる。
【００２１】
請求項２に記載の発明によれば、まず、標準電波が受信されてタイムコードが取得される。そして、取得されたタイムコードに含まれる曜日データに欠落が検知された場合、取得されたタイムコードの年データ及び通算日データに基づいて曜日データが補完され、この補完されたタイムコードで、時刻計時手段により計時されている時刻が修正される。
【００２２】
従って、取得されたタイムコードに含まれる曜日データに欠落が検知された場合にも、再受信を要することなく計時時刻を修正できる。従って、標準電波の受信動作の時間が可及的に短く抑えられ、電力消費のより少ない時刻情報受信装置を実現できる。
【００２３】
請求項３に記載の発明によれば、まず、標準電波が受信されてタイムコードが取得される。そして、取得されたタイムコードのうち、標準電波の規格による所定の時間間隔で挿入されている識別データの一部欠落が検知された場合、取得されたタイムコードに含まれている識別データと、その識別データの挿入間隔である所定の時間間隔とに基づいて、欠落している識別データが補完される。そして、この補完されたタイムコードで、時刻計時手段により計時されている時刻が修正される。
【００２４】
従って、取得されたタイムコードのうち識別データの一部欠落が検知された場合にも、再受信を要することなく欠落部分の識別データを補完し、補完されたタイムコードに基づいて計時時刻を修正できる。従って、標準電波の受信動作の時間が可及的に短く抑えられ、電力消費のより少ない時刻情報受信装置を実現できる。
【００２５】
請求項４に記載の発明によれば、まず、標準電波が受信されてタイムコードが取得される。そして、取得されたタイムコードに含まれている標準電波の規格による所定の時間間隔で挿入されている識別データのうち、タイムコードの先頭部分を表す先頭データに隣接する識別データの欠落が検知された場合、取得されたタイムコードに含まれている先頭データに基づいて、その先頭データの隣接位置に識別データが補完される。そして、この補完されたタイムコードで、時刻計時手段により計時されている時刻が修正される。
【００２６】
従って、取得されたタイムコードに含まれている、先頭データに隣接する識別データの欠落が検知された場合にも、再受信を要することなく欠落部分の識別データを補完し、補完されたタイムコードに基づいて計時時刻を修正できる。従って、標準電波の受信動作の時間が可及的に短く抑えられ、電力消費のより少ない時刻情報受信装置を実現できる。
【００２７】
請求項５に記載の発明によれば、まず、時刻計時手段により計時されている時刻のデータの中から修正対象箇所が決定され、この修正対象箇所に対応するタイムコードの部分が判定されて、この判定した部分的なタイムコードを受信するための受信時刻が、計時されている時刻及び計時誤差に基づいて決定される。そしてこの受信時刻に標準電波が受信されて、部分的なタイムコードが取得される。そして、この部分的なタイムコードに基づいて、修正対象箇所が修正されることで、時刻計時手段により計時されている時刻が修正される。
【００２８】
従って、計時日時の修正の為の標準電波受信の時間が可及的に少なく抑えられるから、標準電波の受信動作の時間が可及的に短く抑えられ、電力消費のより少ない時刻情報受信装置を実現できる。
【００２９】
また、請求項６に記載の発明によれば、タイムコードを含む標準電波を受信しタイムコードを取得した後にこの取得されたタイムコードに含まれる時刻データの欠落が検出された際に、予め取得されているタイムコードのうち、前記欠落されている時刻データに対応するタイムコードの部分で前記欠落されている時刻データに対応するタイムコードの部分を補完し、この補完されたタイムコードの部分を含むタイムコードに基づいて、計時されている時刻を迅速かつ確実に修正することができる。
【００３０】
また、請求項７に記載の発明によれば、タイムコードを含む標準電波を受信しタイムコードを取得した後にこの取得されたタイムコードに含まれる曜日データの欠落が検出された際に、予め取得されているタイムコードの年データと通算日データとに基づいて、取得されたタイムコードのうち、当該欠落曜日データに対応するタイムコードを補完しこの補完されたタイムコードの部分を含むタイムコードに基づいて、計時されている時刻を迅速かつ確実に修正することができる。
【００３１】
また、請求項８に記載の発明によれば、タイムコードを含む標準電波を受信しタイムコードを取得した後にこの取得されたタイムコードのうち、標準電波の規格に従って規定されている識別データの一部が欠落しているかを検出した結果、識別データの一部の欠落が検出された際に、当該欠落検出手段により欠落されていないと検出された他の識別データに基づいて、前記欠落している欠落識別データを補完し、この補完された欠落識別データに対応するタイムコードの部分を含むタイムコードタイムコードに基づいて、計時されている時刻を迅速かつ確実に修正することができる。
【００３２】
また、請求項９に記載の発明によれば、タイムコードを含む標準電波を受信しタイムコードを取得した後にこの取得されたタイムコードのうち、標準電波の規格に従って規定されている識別データのうち、当該タイムコードの先頭部分を表す先頭データに隣接する識別データの欠落が検出された際に、予め取得されているタイムコードに含まれている前記先頭データに対応するタイムコードの部分に基づいて、当該先頭データの隣接位置に前記欠落している欠落識別データを補完し、この補完された欠落識別データに対応するタイムコードの部分を含むタイムコードタイムコードに基づいて、計時されている時刻を迅速かつ確実に修正することができる。
【００３３】
請求項１０に記載の発明によれば、まず、時刻計時手段により計時されている時刻のデータの中から修正対象箇所が順次に決定され、この各修正対象箇所に対応するタイムコードの部分が判定されて、この判定したそれぞれの部分的なタイムコードを受信するための異なる受信時刻が、計時されている時刻と予め定められた計時誤差に基づいて決定される。そして、この決定されたそれぞれの受信時刻に標準電波が受信されて、それぞれの部分的なタイムコードが取得される。そして、この部分的なタイムコードに基づいて、各修正対象箇所が修正されることで、時刻計時手段により計時されている時刻が修正される。これにより、計時日時の修正の為の標準電波受信の時間が可及的に少なく抑えられるから、標準電波の受信動作の時間が可及的に短く抑えられ、電力消費のより少ない時刻情報受信装置を実現できる。
【００３４】
従って、本発明によれば、時刻修正のための標準電波受信の時間を可及的に少なく抑えることができるばかりでなく電力消費のより少ない時刻情報受信装置を実現できる。
【発明を実施するための最良の形態】
【００３５】
以下、図面を参照して本発明を実施するための形態について詳細に説明する。以下においては、本発明の時刻情報受信装置を電波時計に適用した場合について説明するが、本発明を適用可能な形態がこれに限定されるものではない。
【００３６】
１．第１の実施の形態
図１は、第１の実施の形態の電波時計１の内部構成を示すブロック図である。
同図に示すように、本実施の形態の電波時計１は、ＣＰＵ（Central Processing Unit ）１０、入力部２０、表示部３０、ＲＯＭ（Read Only Memory）４０ａ、ＲＡＭ（Random Access Memory）５０ａ、受信制御部６０、タイムコード生成部７０、計時回路部８０及び発振回路部８２を備えて構成され、発振回路部８２を除く各部はバスＢによって接続されている。また、計時回路部８０には発振回路部８２が接続されている。
【００３７】
ＣＰＵ１０は、所定のタイミング或いは入力部２０から入力された操作信号に応じて、ＲＯＭ４０内に格納された各種プログラムを読み出してＲＡＭ５０内に展開し、当該プログラムに基づいて電波時計１内の各部への指示やデータの転送等を行う。
【００３８】
特に、ＣＰＵ１０は、予め定められた時刻又は時間帯、たとえば、午前２時になると、後述する第１の時刻修正処理を開始し、受信制御部６０を制御して標準電波の受信処理を行い、タイムコード生成部７０から入力される標準タイムコードに基づいて計時回路部８０で計時される現在時刻データ記憶エリア８１内における現在時刻データを修正する。また、現在時刻データ８１に基づく表示信号を表示部３０に出力して表示時刻を更新させる等の各種制御も行う。
【００３９】
入力部２０は、電波時計１に各種機能を実行させるためのスイッチ等で構成される。そして、これらのスイッチが操作された時には、対応するスイッチの操作信号をＣＰＵ１０に出力する。
表示部３０は、小型液晶ディスプレイ等により構成され、ＣＰＵ１０からのデータ、例えば計時回路部８０による現在時刻データ等をデジタル表示する。
【００４０】
ＲＯＭ４０ａは、各種初期設定値や初期プログラムの他、電波時計１が有する各機能を実現するためのプログラムやデータ等を格納するための領域であり、特に、後述する第１の時刻修正処理を実現するための第１の時刻修正処理プログラム記憶エリア４１内に第１の時刻修正処理プログラムが格納されている。
【００４１】
ＲＡＭ５０ａは、ＣＰＵ１０により実行される各種プログラムや、これらのプログラムの実行に係るデータ等を保持するためのデータ格納領域であり、特に、第１の時刻修正処理における変数である、受信タイムコードデータ記憶エリア５１内に受信タイムコードデータ及び保持タイムコードデータ記憶エリア５２内に保持タイムコードデータが格納されている。
【００４２】
ＲＡＭ５０ａのこれらの変数（以下、タイムコード変数と呼ぶ。）は何れも、図７に示したタイムコードのフォーマットを有する変数である。後述するように、ＣＰＵ１０は、タイムコード生成部７０から出力される標準タイムコードを受信タイムコードデータ５１に格納し、必要に応じて受信タイムコードデータ５１の内容を部分的に編集し、また、保持タイムコードデータ記憶エリア５２内に保持タイムコードデータをコピーする。
【００４３】
なお、以下の説明においては、これらのタイムコード変数におけるｎ秒〜（ｎ＋１）秒期間に相当する箇所をｎ秒目箇所と呼ぶこととする。また、先頭マーカＭであるＭ信号に相当する箇所である０秒目箇所のことをＭ信号箇所と呼び、更に、９、１９、２９、３９、４９及び５９秒目箇所であるＰ信号の箇所のことをＰ信号箇所と呼ぶこととする。
【００４４】
受信制御部６０は、標準電波の受信処理を行う。この受信制御部６０は、アンテナ（図示せず。）で受信した電波信号から不要な周波数成分をカットして標準電波に該当する周波数信号を取り出し、この周波数信号を対応する電気信号に変換してタイムコード生成部７０へ出力する。
【００４５】
タイムコード生成部７０は、受信制御部６０から出力された電気信号に基づいて、図７に示したタイムコードのフォーマットを有する標準タイムコードを生成してＣＰＵ１０へ出力する。
【００４６】
計時回路部８０は、発振回路部８２から入力されるクロック信号を計数することで計時される現在時刻のデータを、現在時刻データ８１として保持し、また、現在時刻データ８１をＣＰＵ１０へ出力する。この現在時刻データ８１は、ＣＰＵ１０による所定の処理において修正される。
発振回路部８２は、常時一定周波数のクロック信号を出力する回路である。
【００４７】
次に、電波時計１における第１の時刻修正処理の処理動作について、図２に示すフローチャートを用いて詳細に説明する。
現在時刻データ８１において計時する時刻が午前２時になると、電波時計１のＣＰＵ１０は、ＲＯＭ４０ａに格納されている第１の時刻修正処理プログラム４１を読み出して実行することにより、同図に示す第１の時刻修正処理を開始する。
【００４８】
本処理を開始すると、まずＣＰＵ１０は、受信制御部６０を制御して標準電波を受信する（ステップＡ１１）。そしてＣＰＵ１０は、タイムコード生成部７０を制御して標準タイムコードを生成し、これをＲＡＭ５０ａの受信タイムコードデータ５１に格納する（ステップＡ１３）。
【００４９】
次いでＣＰＵ１０は、この受信タイムコードデータ５１の欠落箇所があるか否かを検出する（ステップＡ１５）。次に、ＣＰＵ１０は、欠落箇所が受信タイムコードデータ５１のＰ信号箇所のみであるか否かを判別する（ステップＡ１７）。
【００５０】
ＣＰＵ１０は、ステップＡ１７において、Ｐ信号箇所に欠落箇所がないと判別された場合、受信タイムコードデータ５１のＰ信号箇所以外においても欠落箇所があるか否かを検出し、欠落が検出された場合（ステップＡ１７：Ｎｏ）、受信タイムコードデータ５１の０秒目箇所から４９秒目箇所で欠落が検出されたか否かを判別する（ステップＡ１９）。
【００５１】
受信タイムコードデータ５１の０秒目箇所から４９秒目箇所では欠落が検出されなかった場合（ステップＡ１９：Ｎｏ）、ＣＰＵ１０は、受信タイムコードデータ５１の５０秒目箇所から５９秒目箇所で欠落が検出されたか否かを判別する（ステップＡ２１）
【００５２】
受信タイムコードデータ５１の５０秒目箇所から５９秒目箇所で欠落が検出されなかった場合（ステップＡ２１：Ｎｏ）、ＣＰＵ１０は、受信タイムコードデータ５１を用いて現在時刻データ８１を修正して本処理を終了する（ステップＡ３９）。即ちこれは、ステップＡ１１で受信した標準電波に基づいて生成した標準タイムコードに欠落箇所が無かった場合であり、ＣＰＵ１０は、当該生成した標準タイムコードと同内容の受信タイムコードデータ５１を用いて現在時刻データ８１を修正する。
【００５３】
一方、ステップＡ２１において、受信タイムコードデータ５１の５０秒目箇所から５９秒目箇所で欠落が検出された場合（ステップＡ２１：Ｙｅｓ）、ＣＰＵ１０は、受信タイムコードデータ５１の２０秒目箇所から４９秒目箇所を用いて受信タイムコードデータ５１の欠落箇所を補完する（ステップＡ２７）。
【００５４】
即ちＣＰＵ１０は、受信タイムコードデータ５１の、欠落が検出されていない２０秒目箇所から４９秒目箇所に記憶されている積算日及び年の値を用いて、所定の計算により曜日を計算する。かくして計算された曜日の値（０〜６）で、欠落が検出された５０秒目箇所から５９秒目箇所を補完するように編集する。
【００５５】
そしてＣＰＵ１０は、この補完された受信タイムコードデータ５１を用いて現在時刻データ８１を修正して本処理を終了する（ステップＡ３９）。
かくして、標準電波から得られた標準タイムコードの５０秒目箇所から５９秒目箇所が欠落していても、再受信を行うことなく時刻修正を正常に完了する。
【００５６】
また、ステップＡ１７において、受信タイムコードデータ５１のＰ信号箇所のみで欠落が検出されたと判別された場合（ステップＡ１７：Ｙｅｓ）、ＣＰＵ１０は、欠落が検出されたＰ信号箇所（以下、欠落Ｐ信号箇所と呼ぶ。）のデータを、その欠落Ｐ信号箇所以外のＰ信号箇所に基づき補完する（ステップＡ２９）。即ち、図７に示すように、Ｐ信号箇所は受信タイムコードデータ５１の１０秒目箇所毎に配されているから、欠落Ｐ信号箇所の前後のＰ信号箇所から欠落Ｐ信号箇所のデータを補完する。例えば、Ｐ信号Ｐ２（図７参照）に対応する１９秒目箇所に欠落が検出された場合、Ｐ信号Ｐ３に対応する２９秒目箇所の１０秒分手前（Ｍ信号箇所側）にＰ信号Ｐ２のデータを補完する。
【００５７】
そしてＣＰＵ１０は、この補完された受信タイムコードデータ５１を用いて現在時刻データ８１を修正して本処理を終了する（ステップＡ３９）。
かくして、標準電波から得られた標準タイムコードのＰ信号箇所が欠落していても、再受信を行うことなく時刻修正を正常に完了する。
【００５８】
このように、標準電波から得られた標準タイムコードのＰ信号箇所が欠落している場合及び５０秒目箇所から５９秒目箇所が欠落している場合については、再受信を行うことなく時刻修正を正常に完了する。
【００５９】
一方、ステップＡ１９において、受信タイムコードデータ５１の０秒目箇所から４９秒目箇所で欠落が検出された場合（ステップＡ１９：Ｙｅｓ）、ＣＰＵ１０はまず、今回の標準電波受信（最後に行われたステップＡ１１）が初回であるか否かを判別する（ステップＡ３１）。
【００６０】
初回の受信である場合（ステップＡ３１：Ｙｅｓ）、ＣＰＵ１０は、受信タイムコードデータ５１を保持タイムコードデータ５２へコピーすることにより、今回の受信で得られた標準タイムコードの内容を保持した後、ステップＡ１１へ移行する（ステップＡ３３）。
【００６１】
そしてＣＰＵ１０は、本処理における標準電波受信以降の処理を再び行うこととなる。即ち、再度、標準電波受信（以下、再受信と呼ぶ。）を行い（ステップＡ１１）、生成した標準タイムコードを用いた時刻修正処理（ステップＡ１３〜Ａ３９）を行う。
【００６２】
この場合、再受信により生成された標準タイムコードに欠落箇所が無ければ、当該生成した標準タイムコードと同内容の受信タイムコードデータ５１を用いて現在時刻データ８１を完了する。
また、再受信により生成された標準タイムコードに欠落箇所があったとしても、Ｐ信号箇所が欠落している場合及び５０秒目箇所から５９秒目箇所が欠落している場合については、更なる標準電波受信を行うことなく時刻修正を正常に完了する。
【００６３】
一方、再受信を行った結果、生成された標準タイムコードの０秒目箇所から４９秒目箇所に欠落箇所があり、従って受信タイムコードデータ５１の０秒目箇所から４９秒目箇所に欠落が検出された場合（ステップＡ１１〜Ａ１５→Ａ１７：Ｎｏ→Ａ１９Ｙｅｓ→Ａ３１：Ｎｏ）、ＣＰＵ１０は、再受信による標準タイムコードである受信タイムコードデータ５１と、初回の受信による標準タイムコードである保持タイムコードデータ５２との間で相互補完可能か否かを判別する（ステップＡ３３）。
【００６４】
相互補完可能か否かの判別は、例えば、２つのタイムコード変数それぞれの０秒目箇所から４９秒目箇所に共通した欠落箇所が無いことで相互補完可能と判別し、共通した欠落箇所が有る場合を相互補完不可と判別する。
【００６５】
受信タイムコードデータ５１と保持タイムコードデータ５２との間で相互補完可能な場合（ステップＡ３３：Ｙｅｓ）、ＣＰＵ１０は、受信タイムコードデータ５１と保持タイムコードデータ５２との間で相互補完を行う（ステップＡ３５）。
【００６６】
具体的には、ＣＰＵ１０は、受信タイムコードデータ５１の欠落箇所（以下、再受信欠落箇所と呼ぶ。）を特定し、保持タイムコードデータ５２の再受信欠落箇所のデータを受信タイムコードデータ５１の再受信欠落箇所に上書きする。
【００６７】
そしてＣＰＵ１０は、この補完された受信タイムコードデータ５１を用いて現在時刻データ８１を修正して本処理を終了する（ステップＡ３９）。
かくして、標準電波から得られた標準タイムコードの０秒目箇所から４９秒目箇所に欠落があって再受信が必要となる場合も、より少ない再受信回数で時刻修正を正常に完了する。
【００６８】
このように、本実施の形態の電波時計１によれば、標準電波の受信動作の時間が可及的に短縮され、従って、電力の消費がより抑えられることとなる。
【００６９】
［変形例］
なお、上述した実施の形態においては、受信タイムコードデータのＰ信号箇所で欠落が検出された場合、当該Ｐ信号箇所（欠落Ｐ信号箇所）のデータを欠落Ｐ信号箇所以外のＰ信号箇所に基づき補完するようにしたが、本発明はこれに限らず、受信タイムコードデータの先頭に配されるＭ信号箇所に基づいて、欠落が検出されたＰ信号箇所のデータを補完するようにしてよい。例えば、Ｐ信号Ｐ１（図７参照）に対応する９秒目箇所に欠落が検出された場合、Ｍ信号箇所の９秒分後方にＰ信号Ｐ１のデータを補完する。
【００７０】
２．第２の実施の形態
図３は、第２の実施の形態の電波時計２の内部構成を示すブロック図である。
なお、上述した第１の実施の形態と同一の構成要素については同一の符号を付し、詳細な説明を省略する。
【００７１】
同図に示すように、本実施の形態の電波時計２は、電波時計１のＲＯＭ４０ａに替えてＲＯＭ４０ｂを、ＲＡＭ５０ａに替えてＲＡＭ５０ｂを備えて構成されている。
【００７２】
この電波時計２の計時回路部８０は、第１の実施の形態の場合と同様に構成され、現在時刻データ８１において計時を行うが、ここで、この現在時刻データ８１について、より詳細に説明する。
【００７３】
図４は、計時回路部８０に保持される現在時刻データ８１の内容を模式的に表す図である。同図に示すように、現在時刻データ８１は、年（西暦下２桁）、積算日、時、分、秒及び曜日を表すそれぞれ年データ８１ａ、積算日データ８１ｂ、時データ８１ｃ、分データ８１ｄ、秒データ８１ｅ及び曜日データ８１ｆを備えて構成されている。
【００７４】
年データ８１ａ、積算日データ８１ｂ、時データ８１ｃ、分データ８１ｄ、秒データ８１ｅ及び曜日データ８１ｆには、それぞれ、年、積算日、時、分、秒及び曜日（０〜６）の値が、例えばタイムコードの場合と同様にＢＣＤで格納されている。
例えば、同図においては、時刻「２００４年１１月１日月曜日２時０分０秒」を表すデータが格納されている。なお、簡単のため１０進表示している。
以下、２桁で構成される年データ８１ａ、時データ８１ｃ及び分データ８１ｄのそれぞれ第１桁（１の位）のデータを、年第１桁データ８１ｇ、時第１桁データ８１ｈ及び分第１桁データ８１ｉとする。
【００７５】
ＲＯＭ４０ｂは、ＲＯＭ４０ａと同様にプログラムやデータ等を格納するための領域であるが、特に、後述する第２の時刻修正処理を実現するための第２の時刻修正処理プログラム４２及び取得位置特定表４３が格納されている。
【００７６】
この取得位置特定表４３は、図５に示すような、各日付の種類を表す「実行日」項目のデータに、現在時刻データ８１において修正対象とするデータ種別を表す「修正対象データ」項目のデータと、標準タイムコード上において取得すべき箇所を表す「取得箇所」項目とが対応付けられたデータが格納されているデータテーブルである。
なお、「取得箇所」項目の各データは何れも、Ｐ信号箇所を含んだ範囲となるように設定されている。
【００７７】
ＲＡＭ５０ｂは、ＲＡＭ５０ａと同様に、各種プログラムや、プログラムの実行に係るデータ等を保持するための領域であり、特に、第２の時刻修正処理における変数である部分タイムコードデータ５４、修正対象データ５５、取得箇所データ５６、受信期間データ５７及び計時修正データ５８が格納されている。
【００７８】
部分タイムコードデータ５４は、第２の時刻修正処理において標準電波を受信して生成されるタイムコードを格納する為の領域であり、受信タイムコードデータ５１と同様に、この部分タイムコードデータ５４もまたタイムコード変数である。
【００７９】
修正対象データ５５は、第２の時刻修正処理において修正すべき、現在時刻データ８１上のデータ種別を表す変数であり、図５に示した「修正対象データ」項目の各データの何れかが格納される。
取得箇所データ５６は、標準タイムコード上において取得すべき箇所を表す変数であり、図５に示した「取得箇所」項目の各データの何れかが格納される。
受信期間データ５７には、標準電波を受信すべき期間の、受信開始時刻及び受信終了時刻が格納される。
計時修正データ５８には、現在時刻データ８１上のデータを上書きする際に用いられるデータが格納される。
【００８０】
次に、電波時計２における時刻修正処理である第２の時刻修正処理の処理動作について、図６に示すフローチャートを用いて詳細に説明する。
ＣＰＵ１０は、ＲＯＭ４０ｂに格納される第２の時刻修正処理プログラム４２を実行することにより、同図に示す第２の時刻修正処理を開始する。
【００８１】
ＣＰＵ１０は、現在時刻データ８１において計時する時刻が午前２時になるまで待ち受け（ステップＢ１１）、午前２時になると（ステップＢ１１：Ｙｅｓ）、取得位置特定表４３と現在時刻データ８１の現在日付・曜日とに基づいて、現在時刻データ８１中の修正対象データを判別し、ＲＡＭ５０ｂの修正対象データ５５に記憶する（ステップＢ１３）。
【００８２】
この場合、ＣＰＵ１０は、まず現在時刻データ８１の積算日データ８１ｂ及び曜日データ８１ｆからそれぞれ現在日付及び曜日を算出する。そして取得位置特定表４３において、この算出された現在日付及び曜日に対応する修正対象データを特定し、修正対象データ５５に記憶する。例えば、図４に示した１１月１日月曜日の場合、図５の実行日「毎月１日」に対応する「時第１桁データ」が修正対象データ５５に記憶される。
【００８３】
次いでＣＰＵ１０は、修正対象データ５５から取得箇所を特定し、取得箇所データ５６に記憶する（ステップＢ１５）。この場合、ＣＰＵ１０は、取得位置特定表４３において修正対象データ５５に対応する取得箇所を特定し、取得箇所データ５６に記憶する。例えば、修正対象データ５５が「時第１桁データ」ならば、これに対応する「１５秒目〜１９秒目」が取得箇所データ５６に記憶される。
【００８４】
次いでＣＰＵ１０は、計時誤差を考慮して、取得箇所データ５６に基づいて、標準電波の受信開始時刻及び受信終了時刻を決定して受信期間データ５７に記憶する（ステップＢ１７）。
【００８５】
この場合、ＣＰＵ１０はまず、計時回路部８０及び発振回路部８２の仕様で定まる月差と前回の時刻修正からの経過時間とに基づいて、本処理実行時の誤差時間を計算する。例えば月差３０秒（月当り±３０秒の範囲で計時が前後する仕様）で、前回の時刻修正から１日が経過している場合、誤差時間は１秒と算出される。即ち、現在時刻データ８１の時刻が１秒以内の範囲で進んでいるか遅れていることになる。
【００８６】
そしてＣＰＵ１０は、この誤差時間を考慮に入れて、取得箇所データ５６に基づいて、標準電波の受信開始時刻及び受信終了時刻を決定する。例えば、取得箇所データ５６が「１５秒目〜１９秒目」、誤差時間が１秒である場合、午前２時０分の標準電波によるタイムコード上の１５秒目箇所の取得に間に合うように、受信開始時刻が２時０分１４秒と決定され、１９秒目箇所までを取得するように、受信終了時刻が２時０分２０秒と決定される。
【００８７】
次いでＣＰＵ１０は、受信期間データ５７の受信開始時刻となるまで待ち受け（ステップＢ１９）、受信開始時刻になると（ステップＢ１９：Ｙｅｓ）、標準電波の受信を開始する（ステップＢ２１）。そしてＣＰＵ１０は、受信期間データ５７の受信終了時刻となるまで標準電波の受信を継続し（ステップＢ２３）、受信終了時刻になると（ステップＢ２３：Ｙｅｓ）、標準電波の受信を終了する（ステップＢ２５）。
かくして、例えば２時０分１４秒から２時０分２０秒の６秒間に亘って標準電波の受信が行われる。
【００８８】
次いでＣＰＵ１０は、受信した標準電波受信から標準タイムコードを生成して部分タイムコードデータ５４に記憶する（ステップＢ２７）。かくして例えば、部分タイムコードデータ５４には、標準タイムコード上の１３秒目箇所から１９秒目箇所が記憶される。因みに、この場合、現在時刻データ８１の時刻が標準時刻より１秒進んでいたこととなる。
また、この場合ＣＰＵ１０は、Ｐ信号箇所である１９秒目箇所によって、この部分タイムコードデータ５４が１３秒目箇所から１９秒目箇所のデータであることを認識できる。
【００８９】
次いでＣＰＵ１０は、部分タイムコードデータ５４のうちの取得箇所データ５６に記憶される箇所のデータを抽出し、計時修正データ５８に記憶する（ステップＢ２９）。例えば、１３秒目箇所から１９秒目箇所が記憶される部分タイムコードデータ５４のうちの、１５秒目箇所から１９秒目箇所が抽出され、時第１桁データである「２」が計時修正データ５８に記憶される。
【００９０】
次いでＣＰＵ１０は、計時修正データ５８に基づいて、現在時刻データ８１を修正して本処理を終了する（ステップＢ３１）。この場合、ＣＰＵ１０は、現在時刻データ８１の修正対象データ５５に記憶される修正対象を、計時修正データ５８で上書きすることで修正する。例えば、現在時刻データ８１の時第１桁データ８１ｈが、計時修正データ５８の「２」で上書きされる。
【００９１】
このように、本処理によれば、標準電波の受信は、例えば６秒間といった、タイムコードの周期に比べてごく短い時間に亘って行われ、その受信した標準電波に基づいて時刻修正が行われる。
かくして、本実施の形態の電波時計２によれば、時刻修正に必要な標準電波受信の動作の時間がより短縮され、電力の消費がより抑えられることとなる。
【００９２】
［変形例］
なお、本実施の形態の場合、一度の時刻修正処理において現在時刻データ８１内の、例えば時第１桁データ８１ｈといった１データを対象として修正するようにしたが、本発明はこれに限らず、一度の時刻修正処理において、適宜、現在時刻データ８１内の複数データを対象として修正するようにして良い。
【００９３】
例えば、図６に示す第２の時刻修正処理において、次のような処理とすることにより、ステップＢ１３〜Ｂ３１を適宜繰り返し行い、現在時刻データ８１内の複数のデータ、例えば積算日データ８１ｂ、時データ８１ｃ及び分データ８１ｄを順次修正する。
【００９４】
まず、午前２時となったらステップＢ１３〜Ｂ３１を行うことにより、現在時刻データ８１の、例えば積算日データ８１ｂを修正する。この場合、例えば１秒の誤差時間を考慮に入れて、午前２時０分２１秒から３５秒に亘って電波受信を行う。
そして、ステップＢ３１までを終えた後も処理を終了せず、午前２時１分となるのを待つ。午前２時１分となったらステップＢ１３へ戻り、ステップＢ１３〜Ｂ３１を行うことにより、現在時刻データ８１の、例えば時データ８１ｃを修正する。この場合、誤差時間を考慮に入れて、午前２時１分９秒から２０秒に亘って電波受信を行う。
同様に、午前２時２分となったら、現在時刻データ８１の、例えば分データ８１ｄを修正する。この場合、誤差時間を考慮に入れて、午前２時２分０秒から１０秒に亘って電波受信を行う。
【図面の簡単な説明】
【００９５】
【図１】第１の実施の形態の電波時計の回路構成を示すブロック図である。
【図２】第１の時刻修正処理の処理フローを示す図である。
【図３】第２の実施の形態の電波時計の回路構成を示すブロック図である。
【図４】現在時刻データの構成を示す図である。
【図５】取得位置特定表の構成を示す図である。
【図６】第２の時刻修正処理の処理フローを示す図である。
【図７】タイムコードのフォーマットを示す図である。
【符号の説明】
【００９６】
１  電波時計
１０  ＣＰＵ
５１  受信タイムコードデータ
５２  保持タイムコードデータ
６０  受信制御部
８０  計時回路部
８１  現在時刻データ
８２  発振回路部
２  電波時計
４３  取得位置特定表
５４  部分タイムコードデータ
５５  修正対象データ
５７  受信期間データ
【図１】
2006105621.tif 000003
【図２】
2006105621.tif 000004
【図３】
2006105621.tif 000005
【図４】
2006105621.tif 000006
【図５】
2006105621.tif 000007
【図６】
2006105621.tif 000008
【図７】
2006105621.tif 000009